(57)【特許請求の範囲】
【請求項１】
下部構造物の上面に設置された中間装置と、前記中間装置の上面に設置された接続用仕口と、前記接続用仕口に接続され、構造物梁および構造物柱を具備する上部構造物とを有し、
前記構造物梁は、構造物梁ウェブと、前記構造物梁ウェブの両側縁にそれぞれ固定された構造物梁下フランジおよび構造物梁上フランジとを具備し、
前記接続用仕口は、仕口下部材、仕口上部材および仕口外部材を具備し、
前記仕口下部材は、前記中間装置の上面に設置される仕口下板と、前記仕口下板に立設された仕口下柱とを具備し、
前記仕口上部材は、内側面が前記仕口下柱の外側面に対向し、下端面が前記仕口下板の上面との間に隙間を形成する仕口上筒と、前記仕口上筒の外側面に設置され、外側に突出した仕口ダイヤフラムと、前記仕口上筒の上面に設置された仕口上板とを具備し、
前記仕口外部材は、前記仕口上筒の外側面に接続された仕口ウェブと、前記仕口ダイヤフラムの外側面に接続された仕口下フランジと、前記仕口上板の外側面に接続された仕口上フランジと、前記仕口上板の上面に接続された仕口上柱とを具備し、
前記構造物梁ウェブは前記仕口ウェブに、前記構造物梁下フランジは前記仕口下フランジに、前記構造物梁上フランジは前記仕口上フランジに、前記構造物柱は前記仕口上柱に、それぞれ接続され、
前記仕口下柱の外側面と前記仕口上筒の内側面との間にモルタルまたはコンクリートが充填されていることを特徴とする下部構造物と上部構造物との接続構造。
【請求項２】
前記仕口下柱の上面と前記仕口上板の下面との間にモルタルまたはコンクリートが充填されていることを特徴とする請求項１記載の下部構造物と上部構造物との接続構造。
【請求項３】
前記接続用仕口は、前記仕口下柱に立設され、前記仕口上板に形成された貫通孔を貫通する高さ調整ネジ棒と、前記高さ調整ネジ棒に螺合し、前記貫通孔を貫通不可能な高さ調整ナットとを具備することを特徴とする請求項１または２記載の下部構造物と上部構造物との接続構造。
【請求項４】
前記接続用仕口は、前記仕口上板に立設された高さ調整ナットと、前記高さ調整ナットに螺合し、前記仕口上板に形成された貫通孔を貫通して、前記仕口下柱に当接する高さ調整ボルトとを具備することを特徴とする請求項１または２記載の下部構造物と上部構造物との接続構造。
【請求項５】
前記隙間を覆い、前記モルタルまたはコンクリートの漏れを防止する漏れ防止手段を有することを特徴とする請求項１〜４の何れか一項に記載の下部構造物と上部構造物との接続構造。
【請求項６】
上面に中間装置が設置された下部構造物と、構造物梁および構造物柱を具備する上部構造物とを接続用仕口を介して接続する、下部構造物と上部構造物との接続構造の施工方法であって、
前記構造物梁は、構造物梁ウェブと、前記構造物梁ウェブの両側縁にそれぞれ固定された構造物梁下フランジおよび構造物梁上フランジとを具備し、
前記接続用仕口は、仕口下部材、仕口上部材および仕口外部材を具備し、
前記仕口下部材は、前記中間装置の上面に設置可能な仕口下板と、前記仕口下板に立設された仕口下柱と、前記仕口下柱の上端面に設置された仕口中板と、前記仕口中板に立設された高さ調整ネジ棒と、前記高さ調整ネジ棒に螺合した高さ調整ナットとを具備し、
前記仕口上部材は、内側面が前記仕口下柱の外側面に対向可能で、下端面が前記仕口下板の上面との間に隙間を形成可能な仕口上筒と、前記仕口上筒の外側面に設置され、外側に突出した仕口ダイヤフラムと、前記仕口上筒の上面に設置された仕口上板と、前記仕口上板に形成され、前記高さ調整ネジ棒が貫通可能で、前記高さ調整ナットが貫通不可能な貫通孔とを具備し、
前記仕口外部材は、前記仕口上筒の外側面に接続された仕口ウェブと、前記仕口ダイヤフラムの外側面に接続された仕口下フランジと、前記仕口上板の外側面に接続された仕口上フランジと、前記仕口上板の上面に接続された仕口上柱とを具備し、
前記中間装置の下面を前記下部構造物の上面に当接して、前記中間装置を前記下部構造物に設置する工程と、
前記仕口下板の下面を前記中間装置の上面に当接して、前記仕口下部材を前記中間装置に設置する工程と、
前記仕口下板の下面と前記仕口上板の上面との距離が所定の距離になるように、前記高さ調整ナットの位置を調整する工程と、
前記仕口上筒の内側面を前記仕口下柱の外側面に対向させて、前記仕口上板を前記位置が調整されている高さ調整ナットに載置して、前記仕口上板を前記高さ調整ネジ棒に設置する工程と、
前記仕口下柱の外側面と前記仕口上筒の内側面との間にモルタルまたはコンクリートを充填する工程と、
前記構造物梁ウェブを前記仕口ウェブに、前記構造物梁下フランジを前記仕口下フランジに、前記構造物梁上フランジを前記仕口上フランジに、前記構造物柱を前記仕口上柱に、それぞれ接続する工程と、
を有することを特徴とする下部構造物と上部構造物との接続構造の施工方法。
【発明の詳細な説明】
【技術分野】
【０００１】
本発明は下部構造物と上部構造物との接続構造およびその施工方法、特に、上面に中間装置が設置されている下部構造物と、少なくとも最下部が鉄骨構造である上部構造物とを接続した下部構造物と上部構造物との接続構造、および下部構造物と上部構造物との接続構造の施工方法に関する。
【背景技術】
【０００２】
従来から、建築物の耐震性・免震性を確保するため、建築部を構成する下部構造物（下部基礎に相当する）と上部構造物との間に免震装置を設置した構造が知られている。例えば、上部構造物である高層建築物の最下層に、通し柱からの軸力と下弦梁からの地震時の水平力とが作用する上部基礎を設け、免震装置としての積層ゴムを下部構造物である下部基礎に設置し、上部基礎と免震装置との間に積層ゴムを配置した発明が開示されている（例えば、特許文献１参照）。
【先行技術文献】
【特許文献】
【０００３】
【特許文献１】特開平１１−２９３９４５号公報（第３−４頁、図１）
【発明の概要】
【発明が解決しようとする課題】
【０００４】
特許文献１に開示された発明（高層建築物の免震構造）は、通し柱のうち外周側の外柱に近い通し柱を下弦梁に接続されない断接柱に変更すると共に、断接梁の下端に斜材を設置して、外周側において、斜材の下端と外柱の下端とを上部基礎に連結したものである。このため、上部基礎と下部基礎（一般に、コンクリート基礎の上に設けられる「基礎立ち上がり部」）とに挟まれる積層ゴム（免震装置に同じ）の個数（上部基礎の個数に同じ）を減らすことができると共に、外柱に加わる長期軸力が格段に増大することから、外柱の直下に配設された積層ゴムに過大な引き抜き力が生じることもなく、各通し柱の分担する軸力に見合った適切な受圧面積を有する積層ゴムを配設することができるとしている。
【０００５】
しかしながら、特許文献１にのみならず、一般に、各通し柱の分担する軸力は相違することから、積層ゴムは受圧面積のみならず、高さ（ゴム板の積層数等）を適切に設定する必要がある。このため、積層ゴムの高さの変動に伴って、積層ゴムの上面および下面に上部基礎および下部基礎をそれぞれ直接接続するためには、積層ゴムの高さの変動に応じて、設置高さを微妙に変化させる必要がある。すなわち、通し柱毎の軸力の相違による積層ゴムの設計厚さの相違や積層ゴムの厚さの製造誤差などを、あらかじめ基礎立ち上がり部の高さに見込んでおく必要がある。そのため、基礎立ち上がり部の施工が煩雑になり、工期延長やコスト上昇を招くことになる。
【０００６】
本発明は、このような問題を解消するものであり、免震装置等の中間装置の高さが変動しても、かかる高さの変動を基礎立ち上がり部の高さに見込む必要のない下部構造物と上部構造物との接続構造およびその施工方法を提供することにある。
【課題を解決するための手段】
【０００７】
本発明に係る下部構造物と上部構造物との接続構造は、下部構造物の上面に設置され
た中間装置と、前記中間装置の上面に設置された接続用仕口と、前記接続用仕口に接続され、構造物梁および構造物柱を具備する上部構造物とを有し、
前記構造物梁は、構造物梁ウェブと、前記構造物梁ウェブの両側縁にそれぞれ固定された構造物梁下フランジおよび構造物梁上フランジとを具備し、
前記接続用仕口は、仕口下部材、仕口上部材および仕口外部材を具備し、
前記仕口下部材は、前記中間装置の上面に設置される仕口下板と、前記仕口下板に立設された仕口下柱とを具備し、
前記仕口上部材は、内側面が前記仕口下柱の外側面に対向し、下端面が前記仕口下板の上面との間に隙間を形成する仕口上筒と、前記仕口上筒の外側面に設置され、外側に突出した仕口ダイヤフラムと、前記仕口上筒の上面に設置された仕口上板とを具備し、
前記仕口外部材は、前記仕口上筒の外側面に接続された仕口ウェブと、前記仕口ダイヤフラムの外側面に接続された仕口下フランジと、前記仕口上板の外側面に接続された仕口上フランジと、前記仕口上板の上面に接続された仕口上柱とを具備し、
前記構造物梁ウェブは前記仕口ウェブに、前記構造物梁下フランジは前記仕口下フランジに、前記構造物梁上フランジは前記仕口上フランジに、前記構造物柱は前記仕口上柱に、それぞれ接続され、
前記仕口下柱の外側面と前記仕口上筒の内側面との間にモルタルまたはコンクリートが充填されていることを特徴とする。
【０００８】
また、前記仕口下柱の上面と前記仕口上板の下面との間にモルタルまたはコンクリートが充填されていることを特徴とする。
さらに、前記接続用仕口は、前記仕口下柱に立設され、前記仕口上板に形成された貫通孔を貫通する高さ調整ネジ棒と、前記高さ調整ネジ棒に螺合し、前記貫通孔を貫通不可能な高さ調整ナットとを具備することを特徴とする。
さらに、前記接続用仕口は、前記仕口上板に立設された高さ調整ナットと、前記高さ調整ナットに螺合し、前記仕口上板に形成された貫通孔を貫通して、前記仕口下柱に当接する高さ調整ボルトとを具備することを特徴とする。
さらに、前記隙間を覆い、前記モルタルまたはコンクリートの漏れを防止する漏れ防止手段を有することを特徴とする。
【０００９】
本発明に係る下部構造物と上部構造物との接続構造の施工方法は、上面に中間装置が設置された下部構造物と、構造物梁および構造物柱を具備する上部構造物とを接続用仕口を介して接続する、下部構造物と上部構造物との接続構造の施工方法であって、
前記構造物梁は、構造物梁ウェブと、前記構造物梁ウェブの両側縁にそれぞれ固定された構造物梁下フランジおよび構造物梁上フランジとを具備し、
前記接続用仕口は、仕口下部材、仕口上部材および仕口外部材を具備し、
前記仕口下部材は、前記中間装置の上面に設置可能な仕口下板と、前記仕口下板に立設された仕口下柱と、前記仕口下柱の上端面に設置された仕口中板と、前記仕口中板に立設された高さ調整ネジ棒と、前記高さ調整ネジ棒に螺合した高さ調整ナットとを具備し、
前記仕口上部材は、内側面が前記仕口下柱の外側面に対向可能で、下端面が前記仕口下板の上面との間に隙間を形成可能な仕口上筒と、前記仕口上筒の外側面に設置され、外側に突出した仕口ダイヤフラムと、前記仕口上筒の上面に設置された仕口上板と、前記仕口上板に形成され、前記高さ調整ネジ棒が貫通可能で、前記高さ調整ナットが貫通不可能な貫通孔とを具備し、
前記仕口外部材は、前記仕口上筒の外側面に接続された仕口ウェブと、前記仕口ダイヤフラムの外側面に接続された仕口下フランジと、前記仕口上板の外側面に接続された仕口上フランジと、前記仕口上板の上面に接続された仕口上柱とを具備し、
前記中間装置の下面を前記下部構造物の上面に当接して、前記中間装置を前記下部構造物に設置する工程と、
前記仕口下板の下面を前記中間装置の上面に当接して、前記仕口下部材を前記中間装置に設置する工程と、
前記仕口下板の下面と前記仕口上板の上面との距離が所定の距離になるように、前記高さ調整ナットの位置を調整する工程と、
前記仕口上筒の内側面を前記仕口下柱の外側面に対向させて、前記仕口上板を前記位置が調整されている高さ調整ナットに載置して、前記仕口上板を前記高さ調整ネジ棒に設置する工程と、
前記仕口下柱の外側面と前記仕口上筒の内側面との間にモルタルまたはコンクリートを充填する工程と、
前記構造物梁ウェブを前記仕口ウェブに、前記構造物梁下フランジを前記仕口下フランジに、前記構造物梁上フランジを前記仕口上フランジに、前記構造物柱を前記仕口上柱に、それぞれ接続する工程と、を有することを特徴とする。
【発明の効果】
【００１０】
本発明に係る下部構造物と上部構造物との接続構造は、下部構造物に設置された中間装置と、中間装置に設置された接続用仕口と、接続用仕口に接続される上部構造物とを有し、接続用仕口は、中間装置に当接した仕口下板および仕口下板に立設された仕口下柱を具備する仕口下部材と、仕口下柱に対向した仕口上筒を具備する仕口上部材と、仕口下柱と仕口上筒との間に充填されたモルタルまたはコンクリート（以後両者を代表して「モルタル」と呼ぶ）と、仕口上部材に設置され、上部構造物が接続される仕口外部材とを具備し、仕口下柱の下面と仕口上筒の上面との上下方向の距離を所定の距離にした状態（仮固定）で、仕口下柱と仕口上筒との間にモルタルを充填して、仕口上部材を仕口下部材に固定（本固定）することができる。
したがって、中間装置の高さが変動した場合でも、仕口下柱の下面と仕口上筒の上面との上下方向の距離を調整することによって、かかる高さの変動を吸収することができるから、かかる高さの変動に関わらず構造物梁上フランジを所定の高さ（位置）に配置することが可能になる。さらに、基礎立上がり部やコンクリート基礎の不陸等もこの仕組みの中で吸収でき、精度管理が容易になる。
【００１１】
また、本発明に係る下部構造物と上部構造物との接続構造の施工方法は、高さ調整ナットの位置を調整する工程と、仕口上板を高さ調整ネジ棒に設置する（仮固定する）工程と、仕口下柱の外側面と仕口上筒の内側面との間にモルタルを充填する（本固定する）工程とを有する。したがって、中間装置の高さが変動した場合でも、仕口下柱の下面と仕口上筒の上面との上下方向の距離を調整することによって、かかる高さの変動を吸収し、かかる高さの変動に関わらず構造物梁上フランジを所定の高さ（位置）に配置することが可能になる。
【図面の簡単な説明】
【００１２】
【図１】本発明の実施の形態１に係る下部構造物と上部構造物との接続構造を説明する側面図である。
【図２】本発明の実施の形態１に係る下部構造物と上部構造物との接続構造を説明するものであって、（ａ）は図１におけるＡ−Ａ断面を示す断面図、（ｂ）は図１におけるＢ−Ｂ断面を示す断面図、（ｃ）は図１におけるＣ−Ｃ断面を示す断面である。
【図３】本発明の実施の形態２に係る下部構造物と上部構造物との接続構造の施工方法を説明するものであって、（ａ）は第１工程を示す側面図、（ｂ）は第２工程および第３工程を示す側面図、（ｃ）は第４工程を示す側面図である。
【図４】本発明の実施の形態２に係る下部構造物と上部構造物との接続構造の施工方法を説明するものであって、（ａ）は第５工程を示す側面図、（ｂ）は第６工程を示す側面図である。
【図５】本発明の実施の形態３に係る下部構造物と上部構造物との接続構造を説明するものであって、補強リングタイプを示す側面図である。
【図６】本発明の実施の形態４に係る下部構造物と上部構造物との接続構造を説明するものであって、（ａ）は仕口上板における高さ位置外調整タイプを示す側面図、（ｂ）は仕口ダイヤフラムにおける高さ位置外調整タイプを示す側面図である。
【発明を実施するための形態】
【００１３】
以下、発明を実施するための形態（以下、「実施の形態１」〜「実施の形態４」と称す）を、図面を参照しつつ説明する。なお、各図は模式的に描かれたものであって、本発明は図示された形態（部位の形状や個数等）に限定されるものではない。また、図面が煩雑になるのを避けるため、一部の部材や一部の符号の記載を省略する場合がある。
【００１４】
［実施の形態１］
図１および図２は本発明の実施の形態１に係る下部構造物と上部構造物との接続構造を説明するものであって、図１は側面図、図２の（ａ）は図１におけるＡ−Ａ断面を示す断面図、図２の（ｂ）は図１におけるＢ−Ｂ断面を示す断面図、図２の（ｃ）は図１におけるＣ−Ｃ断面を示す断面である。なお、図２において、一部の部材（モルタル）の記載を省略している。
【００１５】
（接続構造）
図１および図２おいて、下部構造物と上部構造物との接続構造（以下「接続構造」と称す）１００は、図示しないコンクリート基礎に設けられた基礎立ち上がり部（下部構造物に相当する）９０の上面９０ａに設置された免震装置（中間装置に相当する）１０と、免震装置１０に設置された接続用仕口２０と、接続用仕口２０に接続された上部構造物（正確には、上部構造物の一部）５０とを有している。以下、それぞれについて詳細に説明する。
【００１６】
（免震装置）
免震装置１０は、地震発生時に変形して地震エネルギを吸収する筒状または柱状の免震装置変形部１３と、免震装置変形部１３の下端および上端にそれぞれ固定された円形の免震装置下板１１および免震装置上板１２とを具備している。
そして、免震装置下板１１の下面が基礎立ち上がり部９０の上面９０ａに当接した状態で、免震装置下板１１に形成された図示しない貫通孔を、基礎立ち上がり部９０に設置された設置ボルト９１が貫通し、設置ボルト９１に螺合する設置ナット９２によって、免震装置下板１１（免震装置１０に同じ）は基礎立ち上がり部９０に固定されている。
【００１７】
なお、本発明を、下部構造物を基礎立ち上がり部９０にして、中間装置を免震装置１０にして説明しているが、本発明はこれに限定されるものではない。下部構造物をＲＣ構造の基礎立ち上がり部９０に代えて、鋼製の基礎にしてもよい。また、本発明は免震装置１０の構造を限定するものではなく、例えば、免震装置下板１１と免震装置上板１２との水平方向の相対的な移動を可能にする摺動機能ないし転動機能を具備するものであってもよい。さらに、免震装置下板１１および免震装置上板１２は正方形や八角形等であってもよい。
【００１８】
（接続用仕口）
接続用仕口２０は、仕口下部材２０Ｌと、仕口上部材２０Ｕと、仕口外部材３０とを具備している。
【００１９】
（仕口下部材）
仕口下部材２０Ｌは、免震装置１０の免震装置上板１２に設置される仕口下板２１と、仕口下板２１に立設され筒状の仕口下柱２２と、仕口下柱２２の上端面に設置された仕口中板２３と、仕口中板２３に立設された高さ調整ネジ棒（アンカーに同じ）９５と、高さ調整ネジ棒９５に螺合する高さ調整ナット９６および押えナット９７とを具備している。
そして、仕口下板２１および免震装置上板１２にそれぞれ形成された図示しない貫通孔を貫通した連結ボルト９３と、連結ボルト９３に螺合する連結ナット９４とによって、仕口下部材２０Ｌは免震装置１０に設置されている。
【００２０】
（仕口上部材）
仕口上部材２０Ｕは、内側面２４ｃが仕口下柱２２の外側面２２ｄに対向し、下端面が仕口下板２１の上面との間に隙間Ｇを形成する仕口上筒２４と、仕口上筒２４の外側面２４ｄに設置され、外側に突出した仕口ダイヤフラム２５と、仕口中板２３に対向し、仕口上筒２４の上端面に設置された仕口上板２６とを具備している。そして、仕口上板２６には、モルタル４０を充填するための貫通孔（以下「モルタル充填孔」と称す）２７と、高さ調整ネジ棒９５が貫通可能で、高さ調整ナット９６および押えナット９７が貫通不可能な図示しない貫通孔とが設けられている。
【００２１】
（仕口外部材）
仕口外部材３０は、仕口上筒２４の外側面２４ｄに接続された仕口ウェブ３４と、仕口ダイヤフラム２５の外側面２５ｄに接続された仕口下フランジ３５と、仕口上板２６の外側面２６ｄに接続された仕口上フランジ３６と、仕口上板２６の上面２６ａに接続された仕口上柱３７と、仕口下板２１の上面と仕口上筒２４の下端面との間に形成される隙間Ｇを覆う漏れ防止手段（以下「シール筒体」と称す）４１とを具備している。このとき、仕口ウェブ３４の両側縁に、仕口下フランジ３５および仕口上フランジ３６はそれぞれ固定され、かかる三者によって断面Ｈ字状の部材が形成されている。
なお、仕口ダイヤフラム２５の内側面２５ｃは、仕口上筒２４の内側面２４ｃから仕口下柱２２の方向に突出した  「通しダイヤフラム」を示しているが、本発明はこれに限定するものではなく、仕口ダイヤフラム２５の内側面２５ｃが仕口上筒２４の外側面２４ｄに接続された「外ダイヤフラム」であってもよい。
【００２２】
（高さ調整ネジ棒）
高さ調整ネジ棒９５は、仕口上板２６に形成された図示しない貫通孔を貫通し、高さ調整ナット９６および押えナット９７は仕口上板２６の上下面を挟持している。したがって、高さ調整ナット９６の位置を調整することによって、仕口下板２１の下面と仕口上板２６の上面との距離、すなわち、基礎立ち上がり部９０の上面９０ａと仕口上フランジ３６との距離を調整することができる。また、高さ調整ネジ棒９５は複数であるから、高さ調整ネジ棒９５毎の高さ調整ナット９６の位置を調整することによって、仕口上板２６の水平度を高めることができる。
【００２３】
（モルタル）
モルタル４０は、仕口下部材２０Ｌと仕口上部材２０Ｕとの間に充填されている。なお、本発明において、モルタルまたはコンクリートの両者を代表して「モルタル」と称している。
したがって、仕口下部材２０Ｌと仕口上部材２０Ｕとの間に作用する力、すなわち、下部構造物である基礎立ち上がり部９０と上部構造物５０との間に作用する力は、モルタル４０を介して伝達される。すなわち、仕口上部材２０Ｕ（あるいは仕口下部材２０Ｌ）に作用する鉛直方向の力は、仕口下柱２２の外側面２２ｄと仕口上筒２４の内側面２４ｃとの間に充填されているモルタル４０の剪断と、仕口中板２３の上面と仕口上板２６の下面との間に充填されているモルタル４０の圧縮とによって、仕口上部材２０Ｕから仕口下部材２０Ｌに（あるいは仕口下部材２０Ｌから仕口上部材２０Ｕに）伝達される。
そして、シール筒体（漏れ防止手段に相当する）４１が配置されているから、充填時に、モルタル充填孔２７から充填されたモルタル４０が隙間Ｇから流逸することはない。
【００２４】
なお、漏れ防止手段は、模式的に図示されたシール筒体４１（例えば鋼製や紙製）に限定されるものではなく、仕口上筒２４の内側面２４ｃに設置され、仕口下柱２２の外側面２２ｄに液密的に当接したグラウトシール（グラウトプルーフ、図６の（ａ）参照）や、仕口下柱２２の外側面２２ｄ、仕口上筒２４の内側面２４ｃおよび仕口下板２１の上面に液密的に当接したシールスポンジ（図６の（ｂ）参照）等であってもよい。また、シール筒体４１を仕口上筒２４の内側面２４ｃに当接するように配置してもよい（図５参照）。
さらに、剪断力の伝達をより確実にするため、仕口下柱２２の外側面２２ｄおよび仕口上筒２４の内側面２４ｃにそれぞれ突条ないし突起を設けてもよい（図示しない）。
【００２５】
（上部構造物）
上部構造物５０は、下端部に構造物梁５１および図示しない構造物柱を具備している。
構造物梁５１は断面Ｈ字状であって、構造物梁ウェブ５４と、梁ウェブの両側縁にそれぞれ固定された構造物梁下フランジ５５および構造物梁上フランジ５６とを具備している。構造物梁ウェブ５４は連結手段（スプライスプレート等）６４を介して仕口ウェブ３４に、構造物梁下フランジ５５は連結手段（スプライスプレート等）６５を介して仕口下フランジ３５に、構造物梁上フランジ５６は連結手段（スプライスプレート等）６６を介して仕口上フランジ３６に、それぞれ接続されている。また、図示しない構造物柱は仕口上柱３７に接続されている。
【００２６】
（作用効果）
以上のように、接続用仕口２０自体の高さ（仕口下板２１の下面と仕口上板２６の上面との距離に同じ）は、高さ調整ナット９６の位置を調整することによって容易に変更可能になっている。したがって、免震装置１０の高さ（免震装置下板１１の下面と免震装置上板１２の上面との距離に同じ）が変動した場合でも、かかる高さの変動を吸収することが可能になり、基礎立ち上がり部９０の上面９０ａと仕口上板２６の上面（仕口上フランジ３６の位置に同じ）との距離を一定の距離にすることできる。
よって、免震装置１０の高さの変動にかかわりなく、構造物梁５１（構造物梁上フランジ５６に尾内）を一定の位置（設計された位置に同じ）に配置することができる。
【００２７】
なお、以上は、基礎立ち上がり部９０の上面９０ａと仕口上板２６の上面との距離を一定の距離にすることとしているが、本発明はこれに限定されるものではなく、基礎立ち上がり部９０の上面９０ａの高さ（位置）が、基準とした高さ（設計された位置に同じ）から偏位している場合には、接続用仕口２０自体の高さを、免震装置１０の高さの偏位量に、基礎立ち上がり部９０の上面９０ａの偏位量を加えた（または減じた）合計の偏位量を相殺するように調整することになる。
以上は、免震装置上板１２と仕口下板２１とを連結ボルト９３および連結ボルト９４によって連結しているが、本発明はこれに限定するものではなく、例えば、免震装置上板１２の上面と仕口下板２１の下面とを接着剤によって接着してもよい。
【００２８】
［実施の形態２］
図３および図４は本発明の実施の形態２に係る下部構造物と上部構造物との接続構造の施工方法を説明するものであって、図３の（ａ）は第１工程を示す側面図、図３の（ｂ）は第２工程および第３工程を示す側面図、図３の（ｃ）は第４工程を示す側面図、図４の（ａ）は第５工程を示す側面図、図４の（ｂ）は第６工程を示す側面図である。なお、実施の形態１と同じ部位については同じ名称および符号を付し、説明を省略する。以下、各工程について説明する。
【００２９】
（接続用仕口の製作）
施工現場における施工に先立って、予め工場において、接続用仕口２０を形成する仕口下部材２０Ｌ、仕口上部材２０Ｕおよび仕口外部材３０がそれぞれ製作される
すなわち、免震装置１０の上面に設置される仕口下板２１を用意して、仕口下板２１に仕口下柱２２を立設し、仕口下柱２２の上端面に仕口中板２３を設置し、仕口中板２３に高さ調整ネジ棒９５を設置し、高さ調整ネジ棒９５に高さ調整ナット９６および押えナット９７を螺合して仕口下部材２０Ｌを形成する。なお、高さ調整ネジ棒９５は水平方向精度を確保するために施工現場において溶接等により設置してもよい。
また、内側面２４ｃが仕口下柱２２の外側面２２ｄに対向可能で、下端面が仕口下板２１の上面との間に隙間Ｇを形成可能な仕口上筒２４を用意して、仕口上筒２４の外側面２４ｄに、外側に突出する仕口ダイヤフラム２５を設置し、仕口上筒２４の上面に仕口上板２６を設置して、仕口上部材２０Ｕを形成する。そして、仕口上板２６にはモルタル４０を充填するための貫通孔であるモルタル充填孔２７が形成され、高さ調整ネジ棒９５が貫通可能で高さ調整ナット９６および押えナット９７が貫通不可能な図示しない貫通孔が形成されている。
さらに、仕口上筒２４の外側面２４ｄに仕口ウェブ３４を接続し、仕口ダイヤフラム２５の外側面２５ｄに仕口下フランジ３５を接続し、仕口上板２６の外側面２６ｄに仕口上フランジ３６を接続し、仕口上板２６の上面２６ａに仕口上フランジ３６を接続して仕口外部材３０を形成する。以上によって、接続用仕口２０を製作する。
【００３０】
（Ｓ１：免震装置の設置）
図３の（ａ）において、免震装置下板１１の下面を基礎立ち上がり部９０の上面９０ａに当接して、免震装置１０を基礎立ち上がり部９０に設置する（第１工程）。すなわち、免震装置下板１１に形成された図示しない貫通孔に、基礎立ち上がり部９０に設置された設置ボルト９１を貫通し、設置ナット９２を設置ボルト９１に螺合して、免震装置下板１１を基礎立ち上がり部９０の上面９０ａに押し付ける。
【００３１】
（Ｓ２およびＳ３：仕口下部材の設置および高さ調整）
図３の（ｂ）において、仕口下板２１の下面を免震装置上板１２の上面に当接して、仕口下部材２０Ｌを免震装置１０に設置する（第２工程）。すなわち、仕口下板２１および免震装置上板１２に形成されている図示しない貫通孔に連結ボルト９３を通し、連結ボルト９３に連結ナット９４を螺合する。
そして、基礎立ち上がり部９０の上面９０ａと仕口上板２６の上面２６ａとの距離が所定の距離（設計された距離）になるように高さ調整ナット９６の位置を調整する（第３工程）。
【００３２】
（Ｓ４：仕口上部材の仮固定）
図３の（ｃ）において、仕口上部材２０Ｕを仕口下部材２０Ｌに仮固定する（第４工程）。すなわち、仕口上筒２４の内側面２４ｃを仕口下柱２２の外側面２２ｄに対向させて、高さ調整ネジ棒９５を仕口上板２６に形成されている図示しない貫通孔に貫通させ、仕口上板２６の下面を高さ調整されている高さ調整ナット９６に載置し、押えナット９７で仕口上板２６の上面を押し付ける。
【００３３】
（Ｓ５：仕口上部材の本固定）
図４の（ａ）において、仕口下部材２０Ｌと仕口上部材２０Ｕとを本固定する（第５工程）。すなわち、隙間Ｇを塞ぐシール筒体４１を、仕口下柱２２の外側面２２ｄと仕口下板２１の上面とに当接させ、仕口下柱２２の外側面２２ｄと仕口上筒２４の内側面２４ｃとの間に、モルタル４０を充填する。このとき、モルタル４０はモルタル充填孔２７から充填され、モルタル４０は仕口中板２３の上面と仕口上板２６との下面との間にも充填される。なお、シール筒体４１が設置されているから、モルタル４０が隙間Ｇから流逸することはない。
【００３４】
（Ｓ６：上部構造物の接続）
図４の（ｂ）において、上部構造物５０を接続用仕口２０に接続する（第６工程）。すなわち、構造物梁ウェブ５４を連結手段（スプライスプレート等）６４を介して仕口ウェブ３４に、構造物梁下フランジ５５を連結手段（スプライスプレート等）６５を介して仕口下フランジ３５に、構造物梁上フランジ５６を連結手段（スプライスプレート等）６６を介して仕口上フランジ３６にそれぞれ接続する。また、図示しない構造物柱を仕口上柱３７に接続する。
【００３５】
（作用効果）
以上のように、免震装置１０に高さの変動があっても、接続用仕口２０はかかる高さの変動を吸収して、基礎立ち上がり部９０の上面９０ａと仕口上板２６の上面との距離（仕口上フランジ３６の位置に同じ）を、一定の距離（設計された距離）にすることができる。
なお、以上は、基礎立ち上がり部９０の上面９０ａと仕口上板２６の上面との距離を一定の距離にすることとしているが、本発明はこれに限定されるものではなく、基礎立ち上がり部９０の上面９０ａの高さ（位置）が、基準とした高さ（設計された位置に同じ）から偏位している場合には、接続用仕口２０自体の高さを、免震装置１０の高さの偏位量に、基礎立ち上がり部９０の上面９０ａの偏位量を加えた（または減じた）合計の偏位量を相殺するように調整することになる。
なお、以上は、仕口上部材を本固定する工程（Ｓ５）の後に、上部構造物を接続する工程（Ｓ６）を実施しているが、本発明はこれに限定するものではなく、仕口上部材を仮固定する工程（Ｓ４）の後、まず、上部構造物を接続する工程（Ｓ６）を実施し、最後に、仕口上部材を本固定する工程（Ｓ５）を実施してもよい。
【００３６】
［実施の形態３］
図５は本発明の実施の形態３に係る下部構造物と上部構造物との接続構造を説明するものであって、補強リングタイプを示す側面図である。なお、実施の形態２における第４工程に相当する工程におけるものであって、実施の形態１と同じ部位については同じ名称および符号を付し、説明を省略する。
【００３７】
（補強リングタイプ）
図５の（ａ）において、下部構造物と上部構造物との接続構造（以下「接続構造」と称す）２００は、仕口下部材２０Ｌの仕口下柱２２の外側面２２ｄに、補強外周リング４２が設置されている。したがって、モルタル４０に作用する剪断力は、仕口下柱２２の外側面２２ｄと仕口上筒２４の内側面２４ｃとの間でより確実に伝達される。なお、補強外周リング４２に代えて、外側面２２ｄに断続した突起を設けてもよい、さらに、仕口上筒２４の内側面２４ｃに補強内周リングや断続した突起（図示しない）を設けてもよい。
また、漏れ防止手段としてシール筒体４１が仕口上筒２４の内側面２４ｃと仕口下板２１の上面に当接するように配置され、モルタル４０（図示しない）の流逸が防止されているが、漏れ防止手段の形態や配置位置は、これに限定されるものではない。
【００３８】
［実施の形態４］
図６は本発明の実施の形態４に係る下部構造物と上部構造物との接続構造を説明するものであって、（ａ）は仕口上板における高さ位置外調整タイプを示す側面図、（ｂ）は仕口ダイヤフラムにおける高さ位置外調整タイプを示す側面図である。なお、実施の形態２における第４工程に相当する工程におけるものであって、実施の形態１と同じ部位については同じ名称および符号を付し、説明を省略する。
【００３９】
（仕口上板における高さ位置外調整タイプ）
図６の（ａ）において、下部構造物と上部構造物との接続構造（以下「接続構造」と称す）３００は、高さ調整ネジ棒９５が撤去され、仕口上板２６に形成された図示しない貫通孔の位置において、高さ調整ナット９６が仕口上板２６の上面２６ａに固定されている。そして、高さ調整ネジ棒９５に代えて、高さ調整ボルト９８が高さ調整ナット９６に螺合している。
したがって、高さ調整ナット９６の位置を調整する第３工程（実施の形態２参照）は、高さ調整ナット９６に代えて、基礎立ち上がり部９０の上面９０ａと仕口上板２６の上面２６ａとの距離が所定の距離（設計された距離）になるように高さ調整ボルト９８の位置を調整することになる。また、仕口上部材２０Ｕを仕口下部材２０Ｌに仮固定する第４工程（実施の形態２参照）は、仕口上筒２４の内側面２４ｃを仕口下柱２２の外側面２２ｄに対向させて、高さ調整ボルト９８の先端（下端）を、仕口中板２３に当接することになる。
なお、高さ調整ボルト９８に押えナット９７を螺合して、押えナット９７で高さ調整ナット９６を押し付けることによって、高さ調整ボルト９８の回転を防止してもよい
そうすると、仕口上筒２４の内側面２４ｃを仕口下柱２２の外側面２２ｄに対向させた状態、すなわち、仕口上部材２０Ｕを仕口下部材２０Ｌに被せた状態で、仕口下部材２０Ｌの外側において高さ調整ボルト９８の位置を調整（あるいは微調整）することが可能になる。
なお、漏れ防止手段としてグラウトシール（グラウトプルーフに同じ）４３が仕口上筒２４の内側面２４ｃに設置され、グラウトシール４３の先端が仕口下柱２２の外側面２２ｄに液密的に当接している。したがって、モルタル４０（図示しない）の流逸が防止されているが、モルタル４０（図示しない）の流逸を防止する手段はグラウトシール４３に限定されるものではない。
【００４０】
（仕口ダイヤフラムにおける高さ位置外調整タイプ）
図６の（ｂ）において、下部構造物と上部構造物との接続構造（以下「接続構造」と称す）４００は、接続構造１００における仕口中板２３が撤去され、高さ調整ネジ棒９５は仕口中板２３に代えて仕口下板２１に立設されている。そして、高さ調整ネジ棒９５は仕口ダイヤフラム２５に形成された図示しない貫通孔を貫通している。
したがって、仕口下部材２０Ｌと仕口上部材２０Ｕとの仮固定（第４工程）は、第３行程において高さ調整ネジ棒９５を、仕口ダイヤフラム２５に形成されている図示しない貫通孔に通して、仕口ダイヤフラム２５の下面を高さ調整されている高さ調整ナット９６に載置し、押えナット９７で仕口ダイヤフラム２５の上面を押し付けることになる。
そうすると、仕口上筒２４の内側面２４ｃを仕口下柱２２の外側面２２ｄに対向させた状態、すなわち、仕口上部材２０Ｕを仕口下部材２０Ｌに被せた状態で、仕口下部材２０Ｌの外側において高さ調整ナット９６の位置を調整（あるいは微調整）することが可能になる。
なお、免震装置上板１２の下面と仕口下板２１の上面とは、図示しない接着剤によって接着されているが、接続構造１００と同様に、連結ボルト９３および連結ボルト９４によって、免震装置上板１２と仕口下板２１とを連結してもよい。
また、漏れ防止手段としてシールスポンジ４４が、仕口下板２１の外側面、仕口上筒２４の内側面２４ｃおよび仕口下板２１の上面に、それぞれ液密的に当接するように配置されている。したがって、モルタル４０（図示しない）の流逸が防止されているが、モルタル４０（図示しない）の流逸を防止する手段はシールスポンジ４４に限定するものではない。
【００４１】
以上、本発明を実施の形態をもとに説明した。この実施の形態は例示であり、それらの各構成要素及びその組合せにいろいろな変形例が可能なこと、またそうした変形例も本発明の範囲にあることは当業者に理解されるところである。当然、下部構造物や中間装置はそれぞれ、フーチングや免震装置に限定されるものではない。
【産業上の利用可能性】
【００４２】
本発明は以上であるから、下部構造と上部構造との間に各種機能を有する中間装置が配置される、下部構造物と上部構造物との接続構造およびその施工方法として広く利用することができる。
【符号の説明】
【００４３】
１０  ：免震装置
１１  ：免震装置下板
１２  ：免震装置上板
１３  ：免震装置変形部
２０  ：接続用仕口
２０Ｌ：仕口下部材
２０Ｕ：仕口上部材
２１  ：仕口下板
２２  ：仕口下柱
２２ｄ：外側面
２３  ：仕口中板
２４  ：仕口上筒
２４ｃ：内側面
２４ｄ：外側面
２５  ：仕口ダイヤフラム
２５ｃ：内側面
２５ｄ：外側面
２６  ：仕口上板
２６ａ：上面
２６ｄ：外側面
２７  ：モルタル充填孔
３０  ：仕口外部材
３４  ：仕口ウェブ
３５  ：仕口下フランジ
３６  ：仕口上フランジ
３７  ：仕口上柱
４０  ：モルタル
４１  ：シール筒体（漏れ防止手段）
４２  ：補強外周リング
４３  ：グラウトシール（漏れ防止手段）
４４  ：シールスポンジ（漏れ防止手段）
５０  ：上部構造物
５１  ：構造物梁
５４  ：構造物梁ウェブ
５５  ：構造物梁下フランジ
５６  ：構造物梁上フランジ
９０  ：基礎立ち上がり部
９０ａ：上面
９１  ：設置ボルト
９２  ：設置ナット
９３  ：連結ボルト
９４  ：連結ナット
９５  ：高さ調整ネジ棒
９６  ：高さ調整ナット
９７  ：押さえナット
９８  ：高さ調整ボルト
１００  ：下部構造物と上部構造物との接続構造（接続構造）
２００  ：下部構造物と上部構造物との接続構造（接続構造）
３００  ：下部構造物と上部構造物との接続構造（接続構造）
４００  ：下部構造物と上部構造物との接続構造（接続構造）
Ｇ  ：隙間
【図１】
0006566893.tif 000002
【図２】
0006566893.tif 000003
【図３】
0006566893.tif 000004
【図４】
0006566893.tif 000005
【図５】
0006566893.tif 000006
【図６】
0006566893.tif 000007